(57)【特許請求の範囲】
【請求項１】
駆動手段の駆動力にて移動自在な物品搬送用の移動体と、
前記移動体の移動を制動する制動状態と制動解除状態とに切り換え自在で且つ前記制動状態に付勢された制動手段と、
前記駆動手段及び前記制動手段を制御して前記移動体を運転する運転状態と運転休止状態とにキースイッチにて切り換え操作自在な制御手段と、
前記制動手段を前記制動状態から前記制動解除状態に強制操作する強制解除状態となるように装着自在で且つ離脱自在な強制解除操作部材とが設けられた物品搬送設備であって、
前記キースイッチに対する操作キーと前記強制解除操作部材とが一体状態に構成されている物品搬送設備。
【請求項２】
前記操作キーと前記強制解除操作部材とが、索状体にて連結されることにより一体状態に構成されている請求項１記載の物品搬送設備。
【請求項３】
前記移動体による物品搬送作業が行われる作業空間に作業者が出入するための施錠可能な保守扉を備え、
前記キースイッチが前記作業空間の外側に設けられ、
前記保守扉が、前記操作キーにて施錠及び開錠されるように構成されている請求項１又は２記載の物品搬送設備。
【発明の詳細な説明】
【技術分野】
【０００１】
本発明は、駆動手段の駆動力にて移動自在な物品搬送用の移動体と、前記移動体の移動を制動する制動状態と制動解除状態とに切り換え自在で且つ前記制動状態に付勢された制動手段と、前記駆動手段及び前記制動手段を制御して前記移動体を運転する運転状態と運転休止状態とにキースイッチにて切り換え操作自在な制御手段と、前記制動手段を前記制動状態から前記制動解除状態に強制操作する強制解除状態となるように装着自在で且つ離脱自在な強制解除操作部材とが設けられた物品搬送設備に関する。
【背景技術】
【０００２】
上記物品搬送設備では、制御手段をキースイッチにて運転状態と運転休止状態とに切り換え操作自在に構成することにより、キースイッチに対する操作キーを所持した作業員だけが、制御手段を運転状態に切換操作して移動体の運転を行わせることができるようになっている（例えば、特許文献１参照。）。
【０００３】
そして、作業者が移動体等の設備のメンテナンス作業を行う場合には、制御手段をキースイッチにて運転休止状態に切り換えてから、移動体による物品搬送作業が行われる作業空間に入ってメンテナンス作業を行う。
【０００４】
また、メンテナンス作業において、人力などの外力にて移動体を移動操作する場合や、制動手段の点検調整を行う場合等、制動状態に付勢された前記制動手段を制動解除状態にしてから、メンテナンス作業を行う場合がある。
【０００５】
例えば、駆動手段としての電動モータに内装された制動手段としての無励磁スプリング制動形電磁ブレーキを励磁させることなくブレーキばねの付勢力に抗して機械的に制動解除状態に強制操作した強制解除状態とするべく、ブレーキ開放用のボルト等の強制解除操作部材を電動モータに装着させるようにしたものがある（例えば、特許文献２参照。）。
【０００６】
なお、特許文献２には、電動モータのカバー２９の穴２９ａから強制解除操作部材としてのドライバーのような押し付け棒を差し込むことで、ブレーキカバー２５に装着されたブッシュ２３に挿入されたブレーキ解放ピン２２をモータ回転軸方向に摺動させて、電磁ブレーキを制動解除状態に強制操作する強制解除状態を現出することが記載されており、この強制解除状態を維持する手段については記載されていないが、強制解除操作部材としてボルト等のように装着状態で固定可能な部材を用いることで、強制解除状態を維持できる。
【０００７】
【特許文献１】特公平５−６７５２７号公報（図３）
【特許文献２】特開２００２−５１４９８号公報（段落「００１１」及び図１）
【発明の開示】
【発明が解決しようとする課題】
【０００８】
上記従来の物品搬送設備であると、作業員がメンテナンス作業において移動体側に強制解除操作部材を装着させて強制解除状態にした後は、強制解除操作部材を離脱させない限り、制動手段は制動状態に復帰することはなく、強制的に制動解除状態に維持される。
【０００９】
そのため、作業員が、移動体側に強制解除操作部材を装着した強制解除状態にしたまま放置し、メンテナンス作業を終了した後もそのことに気付かないままであると、制動手段は制動解除状態に維持されたままとなる。
【００１０】
したがって、作業員が強制解除操作部材を離脱し忘れた場合に、前記操作キーを所持した同一又は他の作業員がその操作キーを用いてキースイッチを切り換え操作して制御手段を運転休止状態から運転状態に切り換えると、制動手段が制動解除状態に維持されたまま、移動体が駆動手段にて移動されるという事態が生じ得る。
【００１１】
このように、従来のものでは、制動手段が制動解除状態に維持されたままでもキースイッチを操作することが可能となっており、作業者が万が一強制解除操作部材を離脱し忘れると、制動手段が移動体を制動することができない強制解除状態のまま移動体が移動されるおそれのあるものであった。
【００１２】
本発明は、上記実情に鑑みて為されたものであって、その目的は、移動体を制動することができない強制解除状態で移動体が運転される事態の発生を確実に防止できる物品搬送設備を提供する点にある。
【課題を解決するための手段】
【００１３】
この目的を達成するために、本発明にかかる物品搬送設備は、駆動手段の駆動力にて移動自在な物品搬送用の移動体と、前記移動体の移動を制動する制動状態と制動解除状態とに切り換え自在で且つ前記制動状態に付勢された制動手段と、前記駆動手段及び前記制動手段を制御して前記移動体を運転する運転状態と運転休止状態とにキースイッチにて切り換え操作自在な制御手段と、前記制動手段を前記制動状態から前記制動解除状態に強制操作する強制解除状態となるように装着自在で且つ離脱自在な強制解除操作部材とが設けられたものであって、その第１特徴構成は、前記キースイッチに対する操作キーと前記強制解除操作部材とが一体状態に構成されている点にある。
【００１４】
すなわち、キースイッチに対する操作キーと強制解除操作部材とが一体状態に構成されているので、強制解除操作部材を制動手段に装着して、制動手段を強制解除状態とした後は、操作キーは制動手段に装着した強制解除操作部材と一体状態で存在しており、強制解除操作部材を制動手段に装着したまま、操作キーだけを移動させることはできない。
【００１５】
したがって、作業者がメンテナンス作業等を終了さえた後、万が一、強制解除操作部材を制動手段から離脱することを忘れた場合は、操作キーが強制解除操作部材と一体状態で残留することになり、強制解除操作部材が装着されている限りは、操作キーを用いて制御手段を運転状態に切り換えることはできない。
【００１６】
つまり、操作キーを用いて制御手段を運転状態に切り換える前には、強制解除操作部材が必ず離脱されることになり、制動手段が制動解除状態に強制的に維持される強制解除状態のままで移動体が運転される事態を確実に防止できる。
【００１７】
なお、強制解除操作部材を制動手段から離脱することを忘れた作業者本人が、制御手段を運転状態に切り換えようとすると、その時点で操作キーを持参していないことに気付き、これにより、操作キーと一体状態の前記強制解除操作部材が制動手段に装着されたままであることに気付くことができるので、メンテナンス作業等を正常に完了させることができる。
【００１８】
このように、本発明の第１特徴構成によると、制動手段が移動体を制動することができない強制解除状態で移動体が運転される事態の発生を確実に防止できる物品搬送設備を得るに至った。
【００１９】
本発明にかかる物品搬送設備の第２特徴構成は、第１特徴構成において、前記操作キーと前記強制解除操作部材とが、索状体にて連結されることにより一体状態に構成されている点にある。
【００２０】
すなわち、操作キーと強制解除操作部材とを索状体にて連結すればよいので、操作キーと強制解除操作部材とを、例えば、操作キーと強制解除操作部材とのそれぞれに、索状体を挿通させるための穴を設けるだけの簡単な加工を予め施しておくことで、紐や針金等の現場においても入手容易な部材を用いて簡単に一体状態に構成することができる。
【００２１】
それでいて、作キーと強制解除操作部材とを適切な長さの索状体にて連結することにより、強制解除操作部材を装着する際には操作キーが邪魔にならないように、また、操作キーにてキースイッチを切り換え操作する際に強制解除操作部材が邪魔にならないようにすることができるので、作業性が良い。
【００２２】
このように、本発明の第２特徴構成によると、現場においても簡単に、操作キーと強制解除操作部材とを一体状態に構成でき、しかも、操作キー及び強制解除操作部材を使用する際の作業性が良いものにすることができる。
【００２３】
本発明にかかる物品搬送設備の第３特徴構成は、第１又は第２特徴構成において、前記移動体による物品搬送作業が行われる作業空間に作業者が出入するための施錠可能な保守扉を備え、前記キースイッチが前記作業空間の外側に設けられ、前記保守扉が、前記操作キーにて施錠及び開錠されるように構成されている点にある。
【００２４】
すなわち、作業者は強制解除操作部材と一体状態の操作キーを持参していなければ保守扉の施錠を行うことができないので、作業者がメンテナンス作業を終えたときに強制解除操作部材を離脱し忘れた場合には、作業空間から出て保守扉を施錠しようとした時点で、強制解除操作部材が装着されたままであることに気付くことができる。
【００２５】
したがって、作業空間の外側に設けられたキースイッチを切り換え操作しようとする時点よりも早い時点で、制動手段が強制解除状態のままであることに気付くことができ、強制解除操作部材を離脱させるために作業空間に再び入って移動体まで戻るとしても、キースイッチが設けられた場所から移動体まで戻って強制解除操作部材を離脱させる場合よりも、短時間で作業を済ませることができるので、やり直しによる作業効率の低下を極力抑えることができる。
【００２６】
しかも、保守扉を施錠及び開錠する保守扉用の操作キーをキースイッチに対する操作キーにて兼用しているので、保守扉を施錠及び開錠する場合とキースイッチを切り換え操作する場合とで操作キーとをいちいち使い分ける手間が省けるので、取扱い性が良い。
【００２７】
このように、本発明の第３特徴構成によると、強制解除操作部材を離脱し忘れた場合に生じるやり直しによる作業効率の低下を極力抑えることができ、しかも、保守扉を設けた場合でも取扱い性が良い物品搬送設備を得るに至った。
【発明を実施するための最良の形態】
【００２８】
以下、本発明の物品搬送設備の実施形態を図面に基づいて説明する。本実施形態においては、図１に示すように、物品搬送設備が、物品収納棚１の間に形成された走行経路２を走行自在なスタッカークレーン３を備えた自動倉庫設備にて構成されている。
【００２９】
物品収納棚１は、物品出し入れ方向が互いに対向するように間隔を隔てて設置されている。各物品収納棚１は、前後一対の支柱１ａが左右方向に間隔を隔てて複数立設され、前後一対の支柱１ａの夫々には、左右方向に延びる載置支持部１ｂを上下方向に間隔を隔てて複数配設されている。そして、前後一対の支柱１ａと左右一対の載置支持部１ｂとにより一つの収納部４が形成され、この収納部４が縦横に複数並べて設けられている。
【００３０】
各物品収納棚１の間に形成されている直線状の走行経路２の床面側には、走行レール５が、また、天井側には図外のガイドレールが物品収納棚１の長手方向に沿って設置されている。そして、走行レール５の一端側には、スタッカークレーン３の運転を管理する地上側コントローラ７と、外部から搬入されて自動倉庫へ入庫される物品を一時的に載置し、また、自動倉庫から出庫され外部へ搬出される物品を一時的に載置するための荷載置台８とが設けられている。
【００３１】
走行経路２の端部側箇所には、スタッカークレーン３による物品搬送作業が行われる作業空間と外部とを仕切るフェンス１３が設けられている。フェンス１３には、作業者が作業空間に出入するための施錠可能な保守扉１４が設けられている。この保守扉１４は、スタッカークレーン３のメンテナンス等の必要時にだけ開閉操作されるものであり、通常運転時は閉状態となった上で施錠されている。
【００３２】
スタッカークレーン３は、走行レール５上を走行経路２に沿って走行自在な物品搬送用の移動体としての走行台車１０と、この走行台車１０に立設された走行台車１０の移動方向で前後一対の四角柱状の昇降用マスト１１と、これらの昇降用マスト１１に沿って形成された昇降経路を昇降自在な昇降台１２とを備えて構成されている。
【００３３】
そして、走行台車１０が走行経路２の地上側の走行レール５に走行案内され、かつ、一対の昇降用マスト１１の各上端部を連結する図外の上部フレームが走行経路２の天井側のガイドレールに案内された状態で走行台車１０が自走することにより、収納棚１の横方向に移動自在としてある。
【００３４】
走行台車１０には、走行レール５上を走行自在な前後一対の走行車輪６が設けられ、これら一対の走行車輪うちの車体前後方向の一端側の車輪が、駆動手段としての走行用モータＭ１にて駆動される推進用の駆動輪６ａとして構成され、車体前後方向の他端側の車輪が、遊転自在な従動輪６ｂとして構成されている。
【００３５】
このように、走行台車１０は、駆動手段としての走行用モータＭ１の駆動力にて走行移動自在に構成されている。
【００３６】
走行用モータＭ１は、制動手段としての直流電磁ブレーキＢ（以下、走行用ブレーキＢという。）を備えた三相交流モータにて構成してある。
【００３７】
図４に示すように、走行用ブレーキＢは、走行用モータＭ１の回転駆動軸１５と一体回転自在に設けられたブレーキディスク１６と、押圧バネ１７にてブレーキディスク１６に押圧される制動状態に付勢されたアーマチュア１８と、アーマチュア１８を回転駆動軸１５の軸心方向に摺動させる電磁力を発生させる電磁石コイル１９等にて構成された無励磁スプリング制動形の電磁ブレーキである。
【００３８】
そして、走行用ブレーＢは、固定コアに設けた電磁石コイル１９に励磁電流が流れていない無励磁状態では、押圧バネ１７の弾性付勢力により、ブレーキディスク１６にアーマチュア１８が押圧されて回転駆動軸１５の回転作動が制動される制動状態となり、電磁石コイル１９に励磁電流が流れている状態では、電磁石コイルにて発生する電磁力により固定コア側に吸着され、ブレーキディスク１６からアーマチュア１８が開放されて回転駆動軸１５の回転作動が許容される制動解除状態となる。
【００３９】
このように、走行用ブレーキＢは、走行台車１０の移動を制動する制動状態と制動解除状態とに切り換え自在で且つ制動状態に付勢されている。
【００４０】
走行用モータＭ１には、回転駆動軸１５の回転駆動量を検出するロータリエンコーダ２０が設けられており、走行台車１０に設けられたクレーン側コントローラ２１が、当該ロータリエンコーダ２０の検出情報に基づいて、地上側コントローラ７側の端部付近に予め設定された走行経路２における走行原点位置からの走行台車１０の走行移動距離を算出し、これにより、走行経路２における走行台車１０走行位置を検出できるようになっている。
【００４１】
図２に示すように、クレーン側コントローラ２１は、光伝送装置２２によって地上側コントローラ７と通信可能に接続されており、地上側コントローラ７から走行指令及び昇降指令の制御指令が指令されると、これらの制御指令に応じて走行用モータＭ１の回転駆動及び走行用ブレーキＢの制動作動や昇降機構を制御する。
【００４２】
図示は省略するが、走行台車１０には、昇降台１２を昇降移動させるための昇降用モータや巻取りドラム等からなる昇降機構が設けられており、昇降台１２を吊り下げ支持する昇降ワイヤを巻取り操作及び繰り出し操作して昇降経路に沿って昇降させることができるようになっている。また、昇降台１２には、物品保持部としてのスライドフォーク装置を出退させることで収納部４或いは荷載置台８との間で物品Ｑ（より詳しくは、物品Ｑの底部に位置するパレット及びこのパレットに載置された荷）を移載可能な移載装置９が設けられている。
【００４３】
地上側コントローラ７には、地上側コントローラ用電力切換装置２３を介して電源からの電力が供給される。地上側コントローラ用電力切換装置２３には、キースイッチとしての運転スイッチ２４の切換信号が入力可能に接続されている。運転スイッチ２４は地上側コントローラ７に設けられており、図３に示すように、キーシリンダ２４ａに適合した操作キー２５にて休止位置と運転位置に切り換え操作自在に構成されている。
【００４４】
そして、運転スイッチ２４が運転位置であると、地上側コントローラ用電力切換装置２３が供給許容状態となり、地上側コントローラ７に対して電源から電力が供給され、地上側コントローラ７はスタッカークレーン３についての制御指令を指令可能となる。運転スイッチ２２が休止位置であると、地上側コントローラ用電力切換装置２３が供給停止状態となり、地上側コントローラ７に対して電源から電力は供給されず、地上側コントローラ７はスタッカークレーン３についての制御指令を指令できない。
【００４５】
つまり、地上側コントローラ７は、走行用モータＭ１及び走行用ブレーキＢを制御してスタッカークレーン３の走行台車１０を運転する運転状態と運転休止状態とにキースイッチとしての運転スイッチ２４にて切り換え操作自在に構成されており、本発明の制御手段に相当する。また、運転スイッチ２４は、地上側コントローラ７に設けられているので、物品搬送作業が行われる作業空間の外側に設けられている。
【００４６】
なお、操作キー２５は、運転スイッチ２４を運転位置にした状態では抜き取ることはできず、運転スイッチ２４を休止位置にした状態でのみ挿抜できるようになっている。
【００４７】
スタッカークレーン３には、スタッカークレーン用電力切換装置２６を介して電源からの電力が供給される。スタッカークレーン用電力切換装置２６は走行経路２に沿って設けられた図外の給電レールに電力を出力し、スタッカークレーン３が備える給電ブラシ等で構成された集電装置により給電レールから電力を受電するように構成されている。
【００４８】
スタッカークレーン用電力切換装置２６には、保守扉スイッチ２７のオンオフ信号が入力されている。保守扉スイッチ２７は保守扉１４の取付け箇所に設けられており（図１参照）、保守扉１４が閉状態であればオンし、閉状態でなければオフするリミットスイッチにて構成されている。
【００４９】
そして、保守扉１４が閉状態であり保守扉スイッチ２７がオンであると、スタッカークレーン用電力切換装置２６が供給許容状態となり、クレーン側コントローラ２１に対して電源から電力が供給され、クレーン側コントローラ２１は地上側コントローラ７の制御指令に基づく制御動作を行う。また、保守扉１４が閉状態でなく保守扉スイッチ２７がオフであると、スタッカークレーン用電力切換装置２６が供給停止状態となり、クレーン側コントローラ７に対して電源から電力は供給されず、クレーン側コントローラ２１は地上側コントローラ７の制御指令に基づく制御動作を行わない。
【００５０】
図５に示すように、保守扉１４には、保守扉キーシリンダ２８が設けられている。キーシリンダ２８は、運転スイッチ２４についての操作キー２５に対応しており、保守扉１４は操作キー２５にて開錠及び施錠できるようになっている。
【００５１】
図３、図４及び図５に示すように、運転スイッチ２４に対する操作キー２５と、強制解除操作部材としてのブレーキ開放用ボルト３０とが、索状体としてのビニール紐２９にて連結されることにより一体状態に構成されている。
【００５２】
説明を加えると、操作キー２５には、キー側紐通し穴２５ａが、また、ブレーキ開放用ボルト３０には、ボルト側紐通し穴３０ｂを有するリング部材３０ａが設けられており、ビニール紐や針金等の作業現場において入手容易な索状体をキー側紐通し穴２５ａとボルト側紐通し穴３０ｂに挿通させて結ぶだけの簡単な作業で両者を一体状態にすることができるようになっている。なお、リング部材３０ａはブレーキ開放用ボルト３０のネジピッチに対応した厚みとしており、リング部材３０ａをブレーキ開放用ボルト３０にねじ込むことによりネジ頭部分で固定できるようになっている。
【００５３】
図４（ａ）及び（ｂ）に示すように、走行用モータＭ１には、ボルト取付け用のネジ穴３１が設けられており、図４（ａ）に示すように、物品搬送処理を行う通常運転時は、ネジ穴３１を密閉するための密閉用ボルト３２が装着されている。そして、走行台車１０を停止させている間は、電磁石コイル１９に対する通電は行われず、走行用ブレーキＢが制動状態に維持され、走行台車１０を走行させる場合には、前述の通り、電磁石コイル１９に通電することで、アーマチュア１８を押圧バネの付勢力に打ち勝ってモータ回転軸方向に沿ってブレーキディスク１６から引き離す方向（図４の紙面左に向う方向）にスライドさせて、走行用ブレーキＢを制動解除状態にする。
【００５４】
そして、図４（ｂ）に示すように、メンテナンス時等において走行用ブレーキＢを制動状態から制動解除状態に強制操作する場合には、ネジ穴３１に装着されている密閉用ボルト３２を離脱させ、代わりに、ブレーキ開放用ボルト３０を装着する。
【００５５】
ブレーキ開放用ボルト３０をネジ穴３１にねじ込むことで、ブレーキ開放用ボルト３０の先端部をアーマチュア１８に押付けて、押圧バネの付勢力に打ち勝ってモータ回転軸方向に沿ってブレーキディスク１６から引き離す方向（図４の紙面左に向う方向）にスライドさせ、走行用ブレーキＢを制動解除状態に強制的に操作できる。そして、ブレーキ開放用ボルト３０の先端部にてアーマチュア１８をブレーキディスク１６から引き離した状態で装着しておくことで、制動解除状態に強制操作する強制解除状態に維持することができる。
【００５６】
ブレーキ開放用ボルト３０と操作キー２５とを連結しているビニール紐２９を十分な長さにしておくことで、上記のようにブレーキ開放用ボルト３０をねじ込む作業を行う際に、操作キー２５が邪魔にならないようにすることができる。
【００５７】
次に、走行用ブレーキＢを制動解除状態にする必要があるメンテナンス作業を行う場合の作業員の作業手順を図６のフローチャートに基づいて説明する。
【００５８】
図６に示すように、まず、ステップ＃１で運転スイッチ２４を操作キー２５にて休止位置に切り換えてから、操作キー２５をキーシリンダ２４から抜き取る。ステップ＃２で、操作キー２５にて保守扉１４を開錠し、ステップ＃３で保守扉１４を開けて作業空間に入る。ステップ＃４で走行用モータＭ１に装着されている密閉用ボルト３２を外して、代わりに、ブレーキ開放用ボルト３０を装着して、走行用ブレーキＢを制動解除状態にする。
【００５９】
ステップ＃５で所望のメンテナンス作業を行って、作業が終了すれば、ステップ＃６でブレーキ開放用ボルト３０を外して、代わりに、密閉用ボルト３２を装着する。ステップ＃７で作業空間から保守扉１４を通って外部へ出て、保守扉１４を閉じ、ステップ＃８で操作キー２５にて施錠する。ステップ＃９で操作キー２５を運転スイッチ２４のキーシリンダ２４ａに挿入して、運転スイッチ２４を運転位置に切り換える。
【００６０】
上記のメンテナンス作業手順におけるステップ＃５の本作業完了後に、ステップ＃６の作業をし忘れてしまった場合には、開放用ボルト３０とビニール紐２９にて連結された操作キー２５は走行用モータＭ１側に置き忘れることになるので、作業者がステップ＃８で保守扉１４の施錠のために操作キー２５を使用しようとした時点で、又は、ステップ＃８での保守扉１４の施錠を忘れた場合でもステップ＃９で運転スイッチ２４を運転位置へ切り換えるために操作キー２５を使用しようとした時点で、その作業者は操作キー２５が手元にないことに気付き、操作キー２５をスタッカークレーン３まで取りに戻ることができる。
【００６１】
このように、本実施形態の物品搬送設備においては、ブレーキ開放用ボルト３０が走行用モータＭ１のネジ穴３１に装着された状態となったまま、走行用モータＭ１の駆動力にて走行台車１０が走行することを確実に防止できる。
【００６２】
〔別実施形態〕
以下、別実施形態を列記する。
【００６３】
（１）上記実施形態では、移動体が、有端形態の直線状の走行経路に沿って走行自在に構成されたスタッカークレーンの走行台車であるものを例示したが、これに限らず、例えば、移動体が直線箇所と曲線箇所からなる有端又は無端の走行経路に沿って走行自在な物品搬送台車等であってもよい。
【００６４】
（２）上記実施形態では、制動手段が、駆動手段に備えられたものを例示したが、制動手段が駆動手段に備えられていないものであってもよい。例えば、制動手段が移動用の駆動車輪に対して、又は、この駆動車輪に連結された回転駆動軸に対して制動するものや、制動手段が、移動体に設けた制動用接触体と地上側の接触対象物（例えば、床面）との間での摩擦力により移動体の移動を制動するものであってもよい。
【００６５】
（３）上記実施形態では、強制解除操作部材がブレーキ開放用ボルト３０にて構成されたものを例示したが、これに代えて、強制解除操作部材が制動手段に設けられた被系止部に対して系止可能な系止手段を備えた操作部材であってもよい。
【００６６】
（４）上記実施形態では、操作キーと強制解除操作部材とが、索状体にて連結されることにより一体状態に構成されているものを例示したが、これに限らず、例えば、操作キーと強制解除操作部材とが一体成型されることにより一体状態に構成されているものであってもよい。
【００６７】
（５）上記実施形態では、ブレーキ開放用ボルト３０に取り付けるリング部材３０ａにボルト側紐通し穴が設けられたものを例示したが、これに限らず、ブレーキ開放用ボルト３０のネジ頭部分にボルト側紐通し穴を設けてもよいし、ボルト側紐通し穴を設けずにブレーキ開放用ボルト３０のネジ頭部分に直接にビニール紐２９等の索状体を結びつけることにより操作キー２５とブレーキ開放用ボルト３０を一体状態に構成されたものであってもよい。
【００６８】
（６）上記実施形態では、運転スイッチ２４が地上側コントローラ用電力切換装置２３を切り換えることで、制御手段としての地上側コントローラ７に対する電力の供給を断続することにより地上側コントローラ７を運転状態と運転休止状態に切り換えるように構成されたものを例示したが、これに限らず、例えば、図７に示すように、地上側コントローラ７に対する電力の供給を断続する電源スイッチ３３をオン状態にして地上側コントローラ７が起動している状態において、キースイッチとしての運転スイッチ３４にて地上側コントローラ７を運転状態及び運転休止状態に切り換えるように構成されたものであってもよい。
【００６９】
この場合、運転スイッチ３４は、例えば、上位の管理コンピュータが指令する物品処理指令に基づいてスタッカークレーン３の作動を制御するオンラインモード（運転状態）と、地上側コンピュータに備えた入力手段にて入力されるマニュアル操作指令に基づいてスタッカークレーン３の作動を制御するマニュアルモード（運転休止状態）とに、地上側コントローラ７の動作モードを切り換えるように構成してもよい。
【図面の簡単な説明】
【００７０】
【図１】物品搬送設備の実施形態の平面図
【図２】制御ブロック図
【図３】操作キーを運転スイッチに差し込む様子を示した説明図
【図４】（ａ）通常運転時における走行用モータの一部縦断側面図及び（ｂ）メンテナンス時における強制解除状態での走行用モータの一部縦断側面図
【図５】フェンスに設けられた保守扉のキーシリンダ部の拡大斜視図
【図６】メンテナンス作業手順のフローチャート
【図７】別実施形態における制御ブロック図
【符号の説明】
【００７１】
Ｍ１  駆動手段
Ｂ    制動手段
７    制御手段
１０  移動体
１４  保守扉
２４  キースイッチ
２５  操作キー
２９  索状体
３０  強制解除操作部材
【図１】
0004905804.tif 000002
【図２】
0004905804.tif 000003
【図３】
0004905804.tif 000004
【図４】
0004905804.tif 000005
【図５】
0004905804.tif 000006
【図６】
0004905804.tif 000007
【図７】
0004905804.tif 000008